(57)【特許請求の範囲】
【請求項１】
感光体上にレーザビーム照射によって静電潜像を形成する第１のレーザダイオード書き込み手段と第２のレーザダイオード書き込み手段と、
前記感光体上の位置を示すマーク信号を検出する手段と、
前記第１のレーザダイオード書き込み手段の書き込み開始位置を示す第１の信号を検出する手段と、
前記第２のレーザダイオード書き込み手段の書き込み開始位置を示す第２の信号を検出する手段と、
前記マーク信号と前記第１の信号と前記第２の信号とに同期させて画像信号を形成する手段と、
前記第１の信号に基づいたリセット動作に応じて始まるクロック入力をカウントアップし、そのカウンタ値と予め設定された設定値を比較し、その比較結果が一致したときに発生させるダミー信号と前記第１の信号との論理和を取った第３の信号を外部に出力する手段と、
外部から前記マーク信号と前記第３の信号とに同期して書き込みクロック信号に同期した主走査方向の有効画像データ開始を指定する第４の信号を入力する手段と、
前記書き込みクロック信号と前記第４の信号とに同期した副走査方向の有効画像データ範囲を指定する第５の信号を入力する手段と、
前記書き込みクロック信号と前記第４の信号とに同期した画像信号を入力する手段と、
該手段によって入力された画像信号を、前記第１の信号が検出されてから該検出の後に発生される前記ダミー信号の発生前までに入力した前記第４の信号の入力のタイミングに同期させて保持する第１のバッファと、
前記入力された画像信号を、前記ダミー信号が発生されてから該発生の後に検出される前記第１の信号の検出前までに入力した第４の信号の入力のタイミングに同期させて保持する第２のバッファと、
前記第５の信号が無効のときに前記第１のバッファに白データを書き込む手段と、
前記第５の信号が有効になった最初の前記第１の信号に同期させて前記第１のバッファから画像信号を読み出し、前記第１のレーザダイオード書き込み手段を駆動させて前記感光体上に静電潜像の形成を開始する手段と、
前記第５の信号が有効になった最初の前記第２の信号に同期させて前記第２のバッファから画像信号を読み出し、前記第２のレーザダイオード書き込み手段を駆動させて前記感光体上に静電潜像の形成を開始する手段とを有し、
面順次方式で作像されるカラー画像の位置合わせを行なうようにしたことを特徴とする画像形成装置。
【請求項２】
請求項１記載の画像形成装置において、
前記第１のバッファと前記第２のバッファとにそれぞれ２つのバッファを設け、前記第５の信号が有効のとき、前記第１のバッファと前記第２のバッファへの画像信号の書き込みと読み出しのバッファを切り換える手段を設けたことを特徴とする画像形成装置。
【請求項３】
請求項１又は２記載の画像形成装置において、
前記マーク信号を前記第３の信号で同期させて、少なくとも前記第３の信号の１周期分を遅らせた前記マーク信号を外部へ出力し、該マーク信号の出力の間に前記第１のバッファと第２のバッファとに保持した画像信号をクリアする手段を設けたことを特徴とする画像形成装置。
【請求項４】
請求項１乃至３のいずれか一項に記載の画像形成装置において、
前記予め設定された設定値を書き換え可能にする手段を設けたことを特徴とする画像形成装置。
【請求項５】
請求項４記載の画像形成装置において、
前記第１のバッファと前記第２のバッファへの画像信号の書き込み及び読み出しのデータ数を同時に変更する手段を設けたことを特徴とする画像形成装置。
【発明の詳細な説明】
【０００１】
【発明の属する技術分野】
この発明は、２つのレーザダイオードで同時に画像信号の書き込みを行なうときに２色以上の静電潜像の位置合わせを制御するレーザビームプリンタ，そのレーザビームプリンタとスキャナを組み合わせたデジタルカラー複写機，そのレーザビームプリンタとカラー画像を印刷するプリンタコントローラあるいはファクシミリコントローラを備えた装置等の画像形成装置に関する。
【０００２】
【従来の技術】
図１４は転写ベルトを用いたカラーレーザビームプリンタの概略を示す図である。図１４において、このカラーレーザビームプリンタは、レーザビーム書き込み装置１と、感光体位置検出器２と、転写ベルト３と、感光体ドラム４と、現像装置（ユニット）５等からなる。
【０００３】
なお、除電ランプ２０，帯電チャージャ２１，イレーサ２２，クリーニング部材２６，転写チャージャ２８，定着ユニット３５，上サーミスタ３６，下サーミスタ３７等の各部についてはその説明を省略する。
【０００４】
このカラーレーザビームプリンタは、転写ベルト３を用いた方式では、感光体ドラム４上に形成された静電潜像を現像装置５によってトナーを付着させ、そのトナーを一旦転写ベルト３上に転写し、同様に複数の色トナーを転写ベルト３上で重ね合わせた後、紙に転写することによってカラー画像を形成する。
【０００５】
そのとき、各色のずれを無くすためには、回転する感光体ドラム４又は転写ベルト３上の同じ位置に全色の画像を形成することが必要になる。
図１７に示すように、感光体位置検出器２からのマーク信号の先端Ｐ１と、各色のデータ書き込みタイミングの先端Ｐ２〜Ｐ４間での時間（又は距離）Ｄ１のバラツキを少なくする必要がある。つまり、この時間Ｄ１のバラツキが小さいほど色ズレが小さくなる。
【０００６】
なお、図１４に示したカラーレーザビームプリンタでは、感光体位置検出器２を転写ベルト３に設けているが、感光体ドラム４上に設けても同様の制御が可能である。また、現像装置５は４色（ブラック，イエロー，マゼンタ，シアン）の各現像器６〜９を回転させる構成であるが、図１５に示すような感光体ドラム４の周りに現像装置５を固定位置に配置した画像形成装置でも同様の制御が可能である。さらに、転写ベルト３上に画像を一旦転写しているが、感光体ドラム４上で直接に色合わせを行なうようにしても、同様の制御が可能である。
【０００７】
次に、図１８と図１９によって１ビーム書き込み方式の位置合わせの手順について説明する。１ビーム書き込み系の画像形成装置では、レーザダイオードが１つしかないので、書き込み用の同期信号（ＢＤ信号＝ＰＭＳＹＮＣ信号）はポリゴンミラー１面につき１つしか発生しない。
【０００８】
そして、ＦＧＡＴＥ信号が有効になった時点Ｐ８からＤＡＴＡ信号が有効になるので、バッファ（ＢＵＦ）への書き込みを開始し、次のＰＭＳＹＮＣ信号から感光体ドラム４上へのレーザダイオード（ＬＤ）書き込みが可能になる。
【０００９】
つまり、マーク信号が有効になった時点Ｐ５からＬＳＹＮＣ信号の４つ目の時点Ｐ７でＦＧＡＴＥ信号が有効になる（Ｐ８で示す時点）ので、その次のＰＭＡＹＮＣ信号のマーク信号有効等５つ目の時点Ｐ６からレーザダイオード（ＬＤ）書き込みを開始する。図１９には、そのタイミングを感光体ドラム４上への画像信号の書き込みで示している。
【００１０】
この場合、複数の色に対する位置合わせを行なうには、マーク信号の有効からＦＧＡＴＥ信号の有効までの期間を一定にすればよく、具体的にはマーク信号の有効からのＰＭＳＹＮＣ信号のカウント数を一定にする。図１８では、このカウント数を「４」として説明しているが、この値は任意であり、色を重ねる繰り返し動作の間は一定に保つ必要がある。
このようにして、１ビームＬＤ書き込み系の画像形成装置では、比較的簡単に複数色の重ね合わせの位置合わせの制御が可能である。
【００１１】
しかし、１ビームＬＤ書き込み系の画像形成装置の場合、印刷密度を上げたり速度を上げていくと、ポリゴンミラーを回転させるモータを高速回転する必要が生じ、高度なモータ製造技術が必要になってコストアップになっていた。
【００１２】
そこで、図１６に示すような２ビームレーザダイオード（ＬＤ）書き込み系を使用したレーザビームプリンタが提案されている。図１６に示すように、２ビームＬＤ書き込み系を使用したレーザビームプリンタは、感光体ドラム４と、ポリゴンミラー１０と、２つのレーザダイオードＬＤ１とＬＤ２と、ｆθレンズ１１と、２つの同期信号検知装置ＢＤ１とＢＤ２と、ミラー１２等からなる。
【００１３】
２ビームＬＤ書き込み系では、図２０に示すように、ポリゴンミラー１０の１面にＬＤ１とＬＤ２による２本のビームを照射し、２ライン同時に感光体ドラム４上への書き込みを行なうので、ポリゴンミラー１０の回転モータの回転数を半分に落すことが可能である。
【００１４】
【発明が解決しようとする課題】
しかしながら、２ビームＬＤ書き込み系を用いた画像形成装置において、従来はそのデータ書き込みに関して次に示す問題があった。
ポリゴンミラー１０の１面分の同期信号は、同期信号検知装置ＢＤ１の各タイミング信号又は同期信号検知装置ＢＤ２の各タイミングまでの間隔であり、この間に書き込み用データを転送するために、図２１に示すように、ＬＤ１書き込みＤＡＴＡとＬＤ２書き込みＤＡＴＡを略同時に転送すると、データ転送用の信号線の本数が増えるのでコストアップし、従来の転送方式との互換性が取れないという問題があった。
【００１５】
この発明は上記の点に鑑みてなされたものであり、従来の２ビームレーザダイオードによるデータ書き込みの転送方式との互換性が取れて装置コストを低減できるようにすることを目的とする。
【００１６】
【課題を解決するための手段】
この発明は上記の目的を達成するため、この画像形成装置は、感光体上にレーザビーム照射によって静電潜像を形成する第１のレーザダイオード書き込み手段と第２のレーザダイオード書き込み手段と、上記感光体上の位置を示すマーク信号を検出する手段と、上記第１のレーザダイオード書き込み手段の書き込み開始位置を示す第１の信号を検出する手段と、上記第２のレーザダイオード書き込み手段の書き込み開始位置を示す第２の信号を検出する手段を備えている。
【００１７】
また、上記マーク信号と上記第１の信号と上記第２の信号とに同期させて画像信号を形成する手段と、上記第１の信号に基づいたリセット動作に応じて始まるクロック入力をカウントアップし、そのカウンタ値と予め設定された設定値を比較し、その比較結果が一致したときに発生させるダミー信号と上記第１の信号との論理和を取った第３の信号を外部に出力する手段と、外部から上記マーク信号と上記第３の信号とに同期して書き込みクロック信号に同期した主走査方向の有効画像データ開始を指定する第４の信号を入力する手段を備えている。
【００１８】
さらに、上記書き込みクロック信号と上記第４の信号とに同期した副走査方向の有効画像データ範囲を指定する第５の信号を入力する手段と、上記書き込みクロック信号と上記第４の信号とに同期した画像信号を入力する手段と、その手段によって入力された画像信号を、上記第１の信号が検出されてから該検出の後に発生される上記ダミー信号の発生前までに入力した上記第４の信号の入力のタイミングに同期させて保持する第１のバッファと、上記入力された画像信号を、上記ダミー信号が発生されてから該発生の後に検出される上記第１の信号の検出前までに入力した第４の信号の入力のタイミングに同期させて保持する第２のバッファを備えている。
【００１９】
さらにまた、上記第５の信号が無効のときに上記第１のバッファに白データを書き込む手段と、上記第５の信号が有効になった最初の上記第１の信号に同期させて上記第１のバッファから画像信号を読み出し、上記第１のレーザダイオード書き込み手段を駆動させて上記感光体上に静電潜像の形成を開始する手段を備えている。
【００２０】
そして、上記第５の信号が有効になった最初の上記第２の信号に同期させて上記第２のバッファから画像信号を読み出し、上記第２のレーザダイオード書き込み手段を駆動させて上記感光体上に静電潜像の形成を開始する手段を有し、面順次方式で作像されるカラー画像の位置合わせを行なうようにしたものである。
【００２１】
また、上記第１のバッファと上記第２のバッファとにそれぞれ２つのバッファを設け、上記第５の信号が有効のとき、上記第１のバッファと上記第２のバッファへの画像信号の書き込みと読み出しのバッファを切り換える手段を設けるとよい。
【００２２】
さらに、上記マーク信号を上記第３の信号で同期させて、少なくとも上記第３の信号の１周期分を遅らせた上記マーク信号を外部へ出力し、そのマーク信号の出力の間に上記第１のバッファと第２のバッファとに保持した画像信号をクリアする手段を設けるとよい。
【００２３】
また、上記予め設定された設定値を書き換え可能にする手段を設けるとよい。
さらに、上記第１のバッファと上記第２のバッファへの画像信号の書き込み及び読み出しのデータ数を同時に変更する手段を設けるとよい。
【００２４】
【発明の実施の形態】
以下、この発明の実施の形態を図面に基づいて具体的に説明する。
この発明の一実施形態の画像形成装置である２ビーム書き込み系レーザビームプリンタは、図３に示した構成であり、さらに詳しい構成としては、図１４及び図１６に示した転写ベルトを用いたカラーレーザビームプリンタに、図１に示した回路を設けている。
【００２５】
図１４及び図１６に示すように、感光体ドラム４上にレーザビーム照射によって静電潜像を形成するレーザダイオードＬＤ１（第１のレーザダイオード書き込み手段）とレーザダイオードＬＤ２（第２のレーザダイオード書き込み手段）と、感光体ドラム４上の位置を示すマーク信号を検出する感光体位置検出器２と、レーザダイオードＬＤ１の書き込み開始位置を示すＢＤ１信号（第１の信号）を検出する検出部ＢＤ１と、レーザダイオードＬＤ２の書き込み開始位置を示すＢＤ２（第２の信号）を検出する検出部ＢＤ２と、マーク信号とＢＤ１信号とＢＤ２信号とに同期させて画像信号を形成する手段を備えている。
【００２６】
また、図１に示すように、上記第１の信号に基づいたリセット動作に応じて始まるクロック入力をカウントアップし、そのカウンタ値と予め設定された設定値を比較し、その比較結果が一致したときに発生させるＢＤ２′信号（ダミー信号）とＢＤ１信号との論理和を取ったＰＭＳＹＮＣ信号（第３の信号）を外部に出力するＰＭＳＹＮＣ発生回路を備えている。
【００２７】
さらに、図１３に示すように、２ビーム書き込み系レーザビームプリンタからのマーク信号とＰＭＳＹＮＣ信号（第３の信号）とに同期してクロック信号（書き込みクロック信号）に同期した主走査方向の有効画像データ開始を指定するＬＳＹＮＣ信号（第４の信号）をその２ビーム書き込み系レーザビームプリンタに入力し、クロック信号（書き込みクロック信号）とＬＳＹＮＣ信号（第４の信号）とに同期した副走査方向の有効画像データ範囲を指定するＦＧＡＴＥ信号（第５の信号）をその２ビーム書き込み系レーザビームプリンタに入力し、クロック信号（書き込みクロック信号）とＬＳＹＮＣ信号（第４の信号）とに同期したＤＡＴＡ信号（画像信号）をその２ビーム書き込み系レーザビームプリンタに入力する書き込みＤＡＴＡ発生装置とを備えている。
【００２８】
また、図５に示すように、その書き込みＤＡＴＡ発生装置によって入力されたＤＡＴＡ信号（画像信号）をＢＤ１信号とＢＤ２′信号（ダミー信号）との間に入力したＬＳＹＮＣ信号（第４の信号）に同期させて保持するバッファＢＵＦ１（第１のバッファ）と、入力されたＤＡＴＡ信号（画像信号）をＢＤ２′信号（ダミー信号）とＢＤ１信号（第１の信号）との間に入力したＬＳＹＮＣ信号（第４の信号）に同期させて保持するバッファＢＵＦ２（第２のバッファ）とを備えている。
【００２９】
そして、ＦＧＡＴＥ信号（第５の信号）が無効のときにバッファＢＵＦ１（第１のバッファ）に白データを書き込む手段と、ＦＧＡＴＥ信号（第５の信号）が有効になった最初のＢＤ１信号（第１の信号）に同期させてバッファＢＵＦ１（第１のバッファ）からＤＡＴＡ信号（画像信号）を読み出し、レーザダイオードＬＤ１（第１のレーザダイオード書き込み手段）を駆動させて感光体ドラム４上に静電潜像の形成を開始する手段と、ＦＧＡＴＥ信号（第５の信号）が有効になった最初のＢＤ２信号（第２の信号）に同期させてバッファＢＵＦ２（第２のバッファ）からＤＡＴＡ信号（画像信号）を読み出し、レーザダイオードＬＤ２（第２のレーザダイオード書き込み手段）を駆動させて感光体ドラム４上に静電潜像の形成を開始する手段とを有し、面順次方式で作像されるカラー画像の位置合わせを行なうものである。
【００３０】
この２ビーム書き込み系レーザビームプリンタは、上記ＬＤ１書き込みデータとＬＤ２書き込みデータを同時に転送すると、データ転送用の信号線の本数が増えてコストアップし、従来の転送方式との互換性が取れないという問題を解決するために、図１に示したＰＭＳＹＮＣ発生回路を設け、そのＰＭＳＹＮＣ発生回路によって図９に示したＢＤ２′信号を生成し、従来と同等のＰＭＳＹＮＣ信号を発生している。
【００３１】
図１に示すように、ＰＭＳＹＮＣ発生回路のフリーランカウンタ４２は、転送クロック４０からのクロック入力をカウントアップ動作し、そのカウンタ値をコンパレータ４３に出力している。このとき、ＢＤ１信号４１をフリーランカウンタ４２のクリア端子に入力することにより、カウンタ出力を“０”にリセットする。
【００３２】
一方、コンパレータ４３は、カウンタ出力値（比較データ１）と１ライン周期分設定値部４４に予め設定された設定値（比較データ２）を比較し、その比較結果が一致したときにＢＤ２′信号に相当する信号を発生し、ＡＮＤ回路４５でＢＤ１信号とＢＤ２′信号の論理和信号であるＰＭＳＹＮＣ信号を発生する。
【００３３】
このようにして、１ビーム書き込み系のプリンタと同様なタイミング信号を発生することができ、図９に示した書き込みタイミングによって、ＤＡＴＡ転送線の本数を増やすこと無く、従来と互換性のあるＤＡＴＡ転送が可能になる。
【００３４】
次に、マーク信号との同期をＢＤ１又はＢＤ２を基準にすると、最も多いと２ライン分の位置ずれが発生するという問題を解決する手段について説明する。
上述したように、マーク信号が有効になってから一定のＰＭＳＹＮＣ信号の数カウント後にＦＧＡＴＥ信号が有効になり、従来と同様なタイミング制御によって外部からの有効なＤＡＴＡ信号の転送が開始される。
【００３５】
このとき、ＦＧＡＴＥ信号が有効になるタイミングと感光体ドラム４への書き込み開始タイミング信号であるＢＤ１信号との関係は、次の２通りである。
（１）ＦＧＡＴＥ信号が有効になってから次の書き込み開始までに、１ライン分のＤＡＴＡ転送が完了している場合、図９と図１１に示すタイミングの関係
（２）ＦＧＡＴＥ信号が有効になってから次の書き込み開始までに、２ライン分のＤＡＴＡ転送が完了している場合、図１０と図１２に示すタイミングの関係
【００３６】
図１１と図１２に示すように、両方ともＦＧＡＴＥ信号が有効になった時点Ｐ２０から、ＰＭＳＹＮＣ信号の３つ目のタイミングの時点Ｐ２１で書き込みが有効になっており、位置ズレを最小にすることができる。
なお、図１１と図１２ではＬＳＹＮＣ信号を省略しているが、図９と図１０に示すように、実際にはＦＧＡＴＥ信号はＬＳＹＮＣ信号に同期した信号である。
【００３７】
次に、このタイミングの制御について説明する。図５に示すように、バッファ（ＢＵＦ１）６０とバッファ（ＢＵＦ２）６１に一般的なＦＩＦＯメモリを使用する。このＦＩＦＯメモリは、タイミング発生回路６２によるってＤＡＴＡ書き込みと読み出しを非同期且つ独立に行なうことができ、データの読み書きの先頭を制御することによって上記タイミングの制御を行なえる。
【００３８】
タイミング発生回路６２による同期タイミングは、図６と図７に示すとおりであり、ここでは８０００番地分のＤＡＴＡ信号を保持することができるＦＩＦＯを使用した場合の制御を示している。
【００３９】
図６と図７に示すように、ＴＧＬ１信号とＴＧＬ２信号は、バッファ（ＢＵＦ１）６０とバッファ（ＢＵＦ２）６１へのＤＡＴＡ書き込みを排他して選択する信号であり、そのＤＡＴＡ書き込みは、図４に示すように、ＬＳＹＮＣ信号とクロック信号とに同期して行なうので、ＬＳＹＮＣ信号とＴＧＬとの論理和によってＦＩＦＯの書き込みリセット信号（ＷＲ信号）にすることができる。
【００４０】
そして、書き込みイネーブル信号ＷＥ１，ＷＥ２は、常に一定数のＤＡＴＡ信号を書き込むので、クロック数をカウントすることによって生成する。ここでは、４０００カウントで示している。
ＦＧＡＴＥ信号が無効の場合、常にＷＲ信号を入力し、０〜３９９９番地までに白データ（無効ＤＡＴＡ）を書き込む。
【００４１】
さらに、読み出しイネーブル信号ＲＥ１とＲＥ２は、ＦＧＡＴＥ信号が有効になった後の最初のＢＤ１信号とＢＤ２信号から発生を開始し、ＦＧＡＴＥ信号が再び無効になった後の最初のＢＤ１信号とＢＤ２信号で発生を終了する。
ここでは、書き込み位置の先頭合わせを目的としているので、ＦＧＡＴＥ信号が有効な状態から無効になるときのタイミングについての説明は省略する。
【００４２】
また、ＲＥ信号はＷＥ信号と同じクロックカウント数で一旦無効にすることにより、ライン誤とのＤＡＴＡの先頭合わせができる。
さらに、読み出しリセット信号ＲＲ１とＲＲ２をＦＧＡＴＥ信号が有効な間、ＢＤ１信号又はＢＤ２信号の２回に１回を発生させて、同様にＷＲ信号もＦＧＡＴＥ信号が有効な間はＬＳＹＮＣ信号の２回に１回を発生させることにより、同一番地への書き込みと読み出しを行なわないように制御することができる。
【００４３】
図１１に示すタイミング時のＷＥ信号，ＲＥ信号，ＲＲ信号の発生タイミングを図６に示す。また、同じように図１２のタイミングを図６に示す。
このようなタイミング制御によってマーク信号との同期をＢＤ１又はＢＤ２を基準にすると、最も多いと２ライン分の位置ずれが発生するという問題を解決することができる。
【００４４】
次に、図５に示したバッファ（ＢＵＦ１）６０とバッファ（ＢＵＦ２）６１はそれぞれ１つのＦＩＦＯで構成しているが、書き込みと読み出しのデータ数を揃えるために制御回路がやや複雑になる。また、ＦＩＦＯという特殊なメモリを使用するので、通常のＤＲＡＭやＳＲＡＭに比べてコストアップする。
【００４５】
そこで、制御回路を単純化し、書き込みと読み出しのデータ数を揃える制御をなくすために、バッファ（ＢＵＦ１）６０とバッファ（ＢＵＦ２）６１をそれぞれ２つのメモリで構成するとよい。
【００４６】
すなわち、図示は省略するが、バッファ（ＢＵＦ１：第１のバッファ）６０に２つのバッファＢＵＦ１−１とＢＵＦ１−２を、バッファ（ＢＵＦ２：第２のバッファ）６１にバッファＢＵＦ２−１とＢＵＦ２−２をそれぞれ設け、ＦＧＡＴＥ信号（第５の信号）が有効のとき、バッファ（ＢＵＦ１：第１のバッファ）６０とバッファ（ＢＵＦ２：第２のバッファ）６１へのＤＡＴＡ信号（画像信号）の書き込みと読み出しのバッファを切り換える制御を行なう。
【００４７】
この場合は、バッファＢＵＦ１−１とＢＵＦ１−２とＢＵＦ２−１とＢＵＦ２−２にＦＩＦＯを使用しているが、他にアドレス発生回路とリフレッシュ回路等を付加すれば通常のＤＲＡＭやＳＲＡＭを使用することができる。
【００４８】
図１３にそのタイミングを示す。このタイミングでは、それぞれＦＩＦＯに対するＷＥ信号とＲＥ信号のみを示しているが、それぞれのＦＩＦＯに対するＷＲ信号はＬＳＹＮＣ信号を、ＲＲ信号はＢＤ１信号又はＢＤ２信号を入力するようにすれば上記動作を実行できる。
【００４９】
次に、上述のバッファ（ＢＵＦ１）６０とバッファ（ＢＵＦ２）６１の保持内容をクリアするために、ＦＧＡＴＥ信号が無効なときに、常にバッファ（ＢＵＦ１）６０とバッファ（ＢＵＦ２）６１に対する無効ＤＡＴＡ書き込み動作を行なっているが、消費電力が無駄に使用されるという問題があった。
【００５０】
そこで、マーク信号をＰＭＳＹＮＣ信号に同期させ、少なくともＰＭＳＹＮＣ信号の１周期分のマーク信号を遅らせ、この期間でバッファ（ＢＵＦ１）６０とバッファ（ＢＵＦ２）６１のクリア動作を行なうとよい。
【００５１】
すなわち、マーク信号をＰＭＳＹＮＣ信号（第３の信号）で同期させて、少なくとも（ＰＭＳＹＮＣ信号（第３の信号）の１周期分を遅らせたマーク信号を外部へ出力し、マーク信号の出力の間にバッファ（ＢＵＦ１：第１のバッファ）６０とバッファ（ＢＵＦ２：第２のバッファ）６１とに保持したＤＡＴＡ信号（画像信号）をクリアするように制御する。
【００５２】
図８に上述したプリンタにおけるクリア動作を示す。ここで、クリア動作以外のタイミングはまったく同じなのでこの図では省略している。
図８において、マーク信号を出力するタイミングをＰＭＳＹＮＣ信号の１周期分を遅らせ、クリア動作期間を確保し、この期間に入っていくＬＳＹＮＣ信号とクロック信号によって２つのＦＩＦＯに無効データ書き込みを行なってクリア動作を行なう。
【００５３】
そして、ＦＩＦＯを使用する場合は、全てのＦＩＦＯに対して同様な信号を入力すればクリア動作を実行することができ、ＤＲＡＭとＳＲＡＭを使用した構成の場合も、必要なアドレスに無効データを書き込むことによってクリア動作を実行できる。
【００５４】
次に、レーザビームプリンタでは、書き込み密度を変化させるために、ポリゴンミラー駆動モータの回転数を可変する場合がある。
そこで、モータの回転数が代わることにより、ＢＤ１信号とＢＤ２信号の周期も変化するので、図２に示すように、ＢＤ２′信号を発生させるための周期カウンタである１ライン周期分設定値部４４を書き換え可能にする設定値書き換え部４６を設けることにより、可変書き込み密度に対応することができる。
すなわち、ＢＤ２信号（第２の信号）を１ライン周期分ずらせてダミー信号を発生するとき、その１ライン周期の間隔を可変制御する。
【００５５】
また、ＷＥ信号とＲＥ信号の期間中にカウントするクロック数をＬＳＹＮＣ信号の１周期分以下にする必要が有るので、同時にそのクロック数も可変にすることによって可変書き込み密度に対応可能になる。
【００５６】
すなわち、バッファ（ＢＵＦ１：第１のバッファ）６０とバッファ（ＢＵＦ２：第２のバッファ）６１へのＤＡＴＡ信号（画像信号）の書き込み及び読み出しのデータ数を同時に変更するようにする。
【００５７】
【発明の効果】
以上説明してきたように、この発明による画像形成装置によれば、従来の２ビームレーザダイオードによるデータ書き込みの転送方式との互換性が取れて装置コストを低減することができる。
【図面の簡単な説明】
【図１】この発明にかかわるＰＭＳＹＮＣ発生回路の構成を示す図である。
【図２】この発明にかかわる可変ＰＭＳＹＮＣ発生回路の構成を示す図である。
【図３】この発明にかかわるＤＡＴＡ転送制御線の構成を示す図である。
【図４】図３のＤＡＴＡ転送制御線におけるＤＡＴＡ転送制御のタイミングチャート図である。
【図５】この発明にかかわるＤＡＴＡ書き込みと読み出しの同期タイミング発生回路の構成を示す図である。
【図６】この発明にかかわるＤＡＴＡ書き込みと読み出しの同期のタイミングチャート図である。
【図７】同じくこの発明にかかわるＤＡＴＡ書き込みと読み出しの同期のタイミングチャート図である。
【図８】この発明にかかわるバッファの保持内容のクリア動作のタイミングチャート図である。
【図９】この発明にかかわる２ビーム書き込み同期のタイミングチャート図である。
【図１０】同じくこの発明にかかわる２ビーム書き込み同期のタイミングチャート図である。
【図１１】図９の２ビーム書き込み同期のタイミングの説明図である。
【図１２】図１０の２ビーム書き込み同期のタイミングの説明図である。
【図１３】さらに同じくこの発明にかかわる２ビーム書き込み同期のタイミングチャート図である。
【図１４】転写ベルトを用いたカラーレーザビームプリンタの概略図を示す図である。
【図１５】感光体ドラムの周りに現像装置を固定位置に配置した構成を示す図である。
【図１６】２ビームレーザダイオード（ＬＤ）書き込み系の説明図である。
【図１７】色合わせのタイミングチャート図である。
【図１８】１ビーム書き込み同期のタイミングチャート図である。
【図１９】図１８の１ビーム書き込み同期のタイミングの説明図である。
【図２０】２ビーム書き込みのタイミングの説明図である。
【図２１】２ビーム書き込みＤＡＴＡ転送のタイミングチャート図である。
【符号の説明】
１：レーザビーム書き込み装置
２：感光体位置検出器    ３：転写ベルト
４：感光体ドラム        ５：現像装置
６〜９：現像器          １０：ポリゴンミラー
【図１】
0003641085.tif 000002
【図２】
0003641085.tif 000003
【図３】
0003641085.tif 000004
【図４】
0003641085.tif 000005
【図５】
0003641085.tif 000006
【図６】
0003641085.tif 000007
【図７】
0003641085.tif 000008
【図８】
0003641085.tif 000009
【図９】
0003641085.tif 000010
【図１０】
0003641085.tif 000011
【図１１】
0003641085.tif 000012
【図１２】
0003641085.tif 000013
【図１３】
0003641085.tif 000014
【図１４】
0003641085.tif 000015
【図１５】
0003641085.tif 000016
【図１６】
0003641085.tif 000017
【図１７】
0003641085.tif 000018
【図１８】
0003641085.tif 000019
【図１９】
0003641085.tif 000020
【図２０】
0003641085.tif 000021
【図２１】
0003641085.tif 000022